(57)【要約】【課題】画質の劣化を抑制した定着装置および画像形成装置の提供。【解決手段】トナー膜９８が形成された転写材９７の搬送方向に沿って第１定着部８１と第２定着部８２を設ける。前記第１定着部および第２定着部に、それぞれ第１、第２加熱ローラ８３、８５と第１、第２加圧ローラ８４、８６を設ける。第１加熱ローラは金属ローラ８３ａに樹脂層８３ｂを形成し、第２加熱ローラは金属ローラ８５ａの外周に弾性層８５ｂを設け、弾性層に樹脂層８５ｃを形成する。第１加熱ローラ８３で加熱された転写材９７を第２加熱ローラ８５で再加熱する。【選択図】  図１
2010054751.tif 000002
【特許請求の範囲】
【請求項１】
金属ローラに樹脂層を有する第１加熱ローラ、及び前記第１加熱ローラに当接する第１加圧ローラを配設する第１定着部と、
前記第１定着部で加熱された転写材を加熱するとともに、金属ローラに弾性層を設け、前記弾性層に樹脂層を有する第２加熱ローラ、及び前記第２加熱ローラに当接する第２加圧ローラを配設する第２定着部と、
を有することを特徴とする、定着装置。
【請求項２】
前記第１加熱ローラに接触する第１温度検知手段と、
前記第２加熱ローラに非接触で配設される第２温度検知手段と、を有することを特徴とする、請求項１に記載の定着装置。
【請求項３】
前記第１温度検知手段は、前記第１加熱ローラと前記第１加圧ローラとの当接部よりも前記転写材の搬出方向に設け、
前記第２温度検知手段は、前記第２加熱ローラと第２加圧ローラの当接部よりも前記転写材の搬出方向に設けたことを特徴とする、請求項２に記載の定着装置。
【請求項４】
前記第１温度検知手段を前記第１加熱ローラの軸方向中央部もしくは中央部近傍に設け、
前記第２温度検知手段は前記第２加熱ローラの軸方向中央部もしくは軸方向中央部近傍に設けたことを特徴とする、請求項２または請求項３に記載の定着装置。
【請求項５】
前記第１加熱ローラに配設した第１の熱源と、
前記第２加熱ローラに配設された第２の熱源と、
前記第１温度検出手段で検出された情報及び前記第２温度検出手段の検出された情報により、前記第１の熱源及び前記第２の熱源の温度制御を行う温度制御手段と、
を有することを特徴とする、請求項２ないし請求項４のいずれか１項に記載の定着装置。
【請求項６】
像担持体と、
像担持体に潜像を形成する露光部と、
前記露光部で形成された潜像を現像する現像部と、
前記像担持体に現像された像が転写される転写部材と、
前記転写部材に転写された前記像を転写材に転写する転写部と、
金属ローラに樹脂層を有する第１加熱ローラ、及び前記第１加熱ローラに当接する第１定着部と、
前記第１定着部で加熱された前記転写材を加熱するとともに、金属ローラに弾性層を設け、前記弾性層に樹脂層を有する第２加熱ローラ、及び前記第２加熱ローラに当接する第２加圧ローラを配設する第２定着部と、
を有することを特徴とする、画像形成装置。
【発明の詳細な説明】
【技術分野】
【０００１】
本発明は、液体現像剤を用いた電子写真システムにおける、画質の劣化を抑制した定着装置および画像形成装置に関するものである。
【背景技術】
【０００２】
電子写真方式の画像形成装置においては、転写材に対する定着装置が用いられる。このような定着装置は、一対の加熱ローラと加圧ローラで定着ローラー対を構成し、加熱ローラと加圧ローラを当接させる位置でニップ部を形成する。前記加熱ローラには、ヒーターランプのような電気的加熱手段を設けている。前記ニップ部に記録用紙のような記録媒体（転写材）を加熱、加圧させながら通過させて、定着処理を行う。
【０００３】
特許文献１には、記録媒体の搬送方向に沿って定着ローラー対を二対以上配設する画像形成装置が記載されている。特許文献１の図１を参照すると、転写材Ｐの搬送方向上流側に第一の定着ユニットＡ、下流側に第二の定着ユニットＢを設けている。第一の定着ユニットＡの加熱部材としての定着ローラ１は、アルミニウムの芯金１１の上にシリコンゴムの弾性層１２を設け、更にその上にＰＦＡ（テトラフルオロエチレンーパーフルオロアルキルビニルエーテル共重合体）の離型層１３を設けたものを用いている。また、第二の定着ユニットＢの加熱部材としての定着ローラ３は、アルミニウムの芯金３１の上にシリコンゴムの弾性層３２を設け、更にその上にＰＦＡの離型層３３を設けたものを用いている。
【０００４】
【特許文献１】特開２００２-３６５９６７号公報
【発明の開示】
【発明が解決しようとする課題】
【０００５】
この種の画像形成装置においては、液体現像剤を用いる構成が知られている。図８は、液体現像剤を用いる画像形成装置の例において、転写材が未定着の状態のときの転写材表面に形成されているトナーを模式的に示す説明図である。図８において、９７は転写材、７５はキャリア、７６は固形分である。
【０００６】
図９は、特許文献１に記載されたような従来例における転写材の表面に形成されるトナーの状況を示す説明図である。従来構成においては、複数段に構成された加熱ローラのそれぞれが、芯金の上に弾性層を設け、更にその上に離型層を形成している。図９（ａ）、（ｂ）は、転写材の搬送方向上流側の第１定着部におけるトナーの状況を示している。加熱ローラ８３ｘは弾性材で構成されている。図９（ａ）では溶融した固形部７６の凝集が不十分である状況が示されている。図９（ｂ）では、溶融した固形部７６が凝集を開始しているが、キャリア７５と溶融した固形部７６が混ざり合い、固形部７６が流動できない状況が示されている。
【０００７】
図９（ｃ）は、第２定着部におけるトナーの状況を示している。図９（ｃ）では、図９（ｂ）からさらに溶融した固形部７６の凝集が進展しているが、固形部７６の流動が不十分である。図９（ｄ）は、第２定着部の定着後におけるトナーの状況を示している。この例では、キャリア７５と溶融した固形部７６との層分離が不十分なために、転写材の表面に形成されるトナーの膜状況が悪く、転写材の表面形状とは異なる形状となる。
【０００８】
このように、特許文献１に記載の加熱ローラの構成では、画像形成装置に液体現像剤を用いた場合に、定着装置における加熱時に、トナーの固形部の間にキャリアが残留したま
ま膜形成される。このため、固形分が存在する部分の光沢が転写材の元々の光沢と大きく異なることになり、低品位の画像が形成されるという問題があった。
【０００９】
本発明は従来技術のこのような問題点に鑑みてなされたものであり、その目的は、トナーの膜が形成された転写材に定着処理する際に、トナーの膜と転写材との光沢差を小さくして画質を改善した定着装置および画像形成装置を提供することにある。
【課題を解決するための手段】
【００１０】
上記目的を達成する本発明の定着装置は、金属ローラに樹脂層を有する第１加熱ローラ、及び前記第１加熱ローラに当接する第１加圧ローラを配設する第１定着部と、
前記第１定着部で加熱された転写材を加熱するとともに、金属ローラに弾性層を設け、前記弾性層に樹脂層を有する第２加熱ローラ、及び前記第２加熱ローラに当接する第２加圧ローラを配設する第２定着部と、
を有することを特徴とする。
【００１１】
また、本発明の定着装置は、前記第１加熱ローラに接触する第１温度検知手段と、
前記第２加熱ローラに非接触で配設される第２温度検知手段と、を有することを特徴とする。
【００１２】
また、本発明の定着装置は、前記第１温度検知手段は、前記第１加熱ローラと前記第１加圧ローラとの当接部よりも前記転写材の搬出方向に設け、
前記第２温度検知手段は、前記第２加熱ローラと第２加圧ローラの当接部よりも前記転写材の搬出方向に設けたことを特徴とする。
【００１３】
また、本発明の定着装置は、前記第１温度検知手段を前記第１加熱ローラの軸方向中央部もしくは中央部近傍に設け、
前記第２温度検知手段は前記第２加熱ローラの軸方向中央部もしくは軸方向中央部近傍に設けたことを特徴とする。
【００１４】
また、本発明の定着装置は、前記第１加熱ローラに配設した第１の熱源と、
前記第２加熱ローラに配設された第２の熱源と、
前記第１温度検出手段で検出された情報及び前記第２温度検出手段の検出された情報により、前記第１の熱源及び前記第２の熱源の温度制御を行う温度制御手段と、
を有することを特徴とする。
【００１５】
本発明の画像形成装置は、像担持体と、
像担持体に潜像を形成する露光部と、
前記露光部で形成された潜像を現像する現像部と、
前記像担持体に現像された像が転写される転写部材と、
前記転写部材に転写された前記像を転写材に転写する転写部と、
金属ローラに樹脂層を有する第１加熱ローラ、及び前記第１加熱ローラに当接する第１定着部と、
前記第１定着部で加熱された前記転写材を加熱するとともに、金属ローラに弾性層を設け、前記弾性層に樹脂層を有する第２加熱ローラ、及び前記第２加熱ローラに当接する第２加圧ローラを配設する第２定着部と、
を有することを特徴とする。
【発明を実施するための最良の形態】
【００１６】
本発明の実施形態につき、図により説明する。図６は本発明の実施の形態に係る画像形成装置を構成する主要構成要素を示す模式的断面図、図７は画像形成装置の色毎の構成要
素を示す断面図である。図６において、イエロー（Ｙ）、マゼンタ（Ｍ）、シアン（Ｃ）、ブラック（Ｋ）からなる各色に対し、同じ構成要素については、各色を表すＹ、Ｍ、Ｃ、Ｋをそれぞれに付して同一番号を用いている。そのうち、イエロー（Ｙ）の構成を示したのが図７である。以下、画像形成装置について図６及び図７を参照して説明する。
【００１７】
画像形成装置１は、像担持体１０Ｙの外周の回転方向（移動方向）に沿って、像担持体のクリーニングブレード１６Ｙ及び現像剤回収部１７Ｙからなるクリーニング装置、帯電ローラ１１Ｙ、露光ユニット１２Ｙ、現像ユニット３０Ｙの現像剤担持体の一例としての現像ローラ２０Ｙ、像担持体スクイーズローラ１３Ｙとその付属構成であるクリーニングブレード１４Ｙ及び現像剤回収部１５Ｙからなるクリーニング装置が配置されている。
【００１８】
現像ユニット３０Ｙは、現像ローラ２０Ｙの外周に、クリーニングブレード２１Ｙ、現像剤供給部材の一例としてのアニロクスローラを用いた現像剤供給ローラ３２Ｙとその現像剤供給量を規制する規制ブレード３３Ｙ、現像剤圧縮ローラ２２Ｙとその表面の現像剤を書き落とし除去するクリーニングブレード２３Ｙが配置され、液体現像剤が収容された現像剤容器（リザーバ）３１Ｙの中に、現像剤を一様分散状態に攪拌する現像剤攪拌ローラ３４Ｙが配置されている。
【００１９】
また、中間転写体４０を挟み像担持体１０Ｙと対向する位置に一次転写部５０Ｙの一次転写ローラ５１Ｙが配置され、中間転写体４０に沿ってその移動方向下流側に、さらに各色の一次転写部５０Ｙ（Ｍ、Ｃ、Ｋ）が配置されている。一次転写部５０Ｙ（Ｍ、Ｃ、Ｋ）の下流には、二次転写部６０が配置され、ここで、画像が転写材に転写される。また、二次転写部６０からシート材搬送経路Ｌ下流側には、定着部７０が配置されている。
【００２０】
現像剤容器３１Ｙに収容される液体現像剤は、顔料成分を含有する現像剤固形分としての樹脂微粒子と、分散剤と、不揮発性の液体キャリアとしてのキャリアオイルとからなり、熱可塑性樹脂中へ顔料等の着色剤を分散させた平均粒径１μｍの固形子を、有機溶媒、シリコンオイル、鉱物油又は食用油等の液体溶媒中へ分散剤とともに添加し、トナー固形分濃度を約２５％とした高粘度（３０〜１００００ｍＰａ・ｓ程度）の液体現像剤である。
【００２１】
現像剤容器３１Ｙに収容される液体現像剤は、像担持体への現像にともなって変化する現像剤濃度に応じ、トナー重量比３５〜５５％程度の高濃度に分散した現像剤又はキャリアをそれぞれ現像剤容器３１Ｙに補給して液体現像剤攪拌ローラ３４Ｙにより攪拌することにより一様分散状態にし、概略重量比でキャリア７５％の中にトナー２５％を分散させたものである。
【００２２】
画像形成部及び現像ユニット３０Ｙでは、帯電ローラ１１Ｙにより、像担持体１０Ｙを一様に帯電させ、半導体レーザ、ポリゴンミラー、Ｆ−θレンズ等の光学系を有する露光ユニット１２Ｙにより、入力された画像信号に基づいて、変調されたレーザ光を照射して、帯電された像担持体１０Ｙ上に静電潜像を形成する。そして、各色（こではイエロー）の液体現像剤を貯蔵する現像剤容器３１Ｙから規制ブレード３３Ｙにより供給現像剤量を規制して現像剤供給ローラ３２Ｙから現像ローラ２０Ｙに現像剤を供給して像担持体１０Ｙ上に形成された静電潜像を現像している。
【００２３】
中間転写体４０は、エンドレスの弾性ベルト部材であり、駆動ローラ４１とテンションローラ４２との間に巻き掛けて張架され、一次転写部５０Ｙ、５０Ｍ、５０Ｃ、５０Ｋで像担持体１０Ｙ、１０Ｍ、１０Ｃ、１０Ｋと当接しながら駆動ローラ４１により回転駆動される。一次転写部５０Ｙ、５０Ｍ、５０Ｃ、５０Ｋは、一次転写ローラ５１Ｙ、５１Ｍ、５１Ｃ、５１Ｋが中間転写体４０を挟んで像担持体１０Ｙ、１０Ｍ、１０Ｃ、１０Ｋと
対向配置される。像担持体１０Ｙ、１０Ｍ、１０Ｃ、１０Ｋとの当接位置を転写位置として、現像された像担持体１０Ｙ、１０Ｍ、１０Ｃ、１０Ｋ上の各色のトナー像を中間転写体４０上に順次重ねて転写し、フルカラーのトナー像を形成している。
【００２４】
中間転写体４０には、このように複数の像担持体（感光体）１０Ｙ、１０Ｍ、１０Ｃ、１０Ｋに形成したトナー像を順次一次転写して重ね合わせて担持し、一括してシート材に二次転写する。そのため、二次転写行程においてシート材にトナー像を転写するに当たって、シート材表面が繊維質などによって平滑でないシート材であっても、この非平滑なシート材表面に倣って二次転写特性を向上させる手段として、弾性ベルト部材を採用している。
【００２５】
二次転写部６０は、二次転写ローラ６１が中間転写体４０を挟んでベルト駆動ローラ４１と対向配置され、さらに二次転写ローラのクリーニングブレード６２、現像剤回収部６３からなるクリーニング装置が配置される。二次転写部６０では、中間転写体４０上に色重ねして形成されたフルカラーのトナー画像や単色のトナー画像が二次転写部６０の転写位置に到達するタイミングに合せてシート材搬送経路Ｌにて用紙、フィルム、布等のシート材を搬送、供給し、そのシート材に単色のトナー画像やフルカラーのトナー画像を二次転写する。
【００２６】
シート材搬送経路Ｌの下流には、シート材搬送経路Ｌを挟んで対向配置された加熱ローラ７１及び加圧ローラ７２を有する定着装置７０が配置され、シート材上に転写された単色のトナー像やフルカラーのトナー像を用紙等の記録媒体（シート材）に融着させ定着させ、最終的なシート材上の画像形成を終了する。二次転写ローラ６１も、表面が繊維質などによって平滑でないシート材であっても、この非平滑なシート材表面に倣って二次転写特性を向上させる手段として、表面に弾性体を被覆した弾性ローラで構成している。これは、複数の像担持体１０Ｙに形成したトナー像を順次一次転写して中間転写体４０に重ね合わせて担持し、一括してシート材に二次転写する中間転写体４０に採用した弾性ベルト部材と同様の目的である。
【００２７】
ベルト駆動ローラ４１と共に中間転写体４０を張架するテンションローラ４２側には、その外周に沿って、中間転写体４０に当接するクリーニングブレード４３、そのクリーニングブレード４３がクリーニングした現像剤を回収する現像剤回収部４４からなるクリーニング装置が配置されている。二次転写部６０を通過後の中間転写体４０は、クリーニングブレード４３により中間転写体４０上のクリーニングが行われ、再び、一次転写部５０へと向かう。
【００２８】
現像剤容器３１Ｙにおいて、液体現像剤の中のトナー粒子はプラスの電荷を有し、現像剤は、撹拌ローラ３４Ｙにより撹拌されて一様分散状態になり、現像剤供給ローラ３２Ｙが回転することによって、現像剤容器３１Ｙから汲み上げられ、規制ブレード３３Ｙによって現像剤量が規制されて現像ローラ２０Ｙに供給される。
【００２９】
次に、現像剤回収手段について説明する。本実施形態の画像形成装置では、現像剤回収手段の有するクリーニング装置により現像剤を掻き落として回収している。現像剤回収手段としては、現像ローラ２０のクリーニングを行う現像ローラクリーニング装置２１、現像剤圧縮ローラ２２のクリーニングを行う現像剤圧縮ローラクリーニング装置２３、像担持体スクイーズ装置１３〜１５、像担持体クリーニング装置１６、１７、中間転写体クリーニング装置４３〜４４、さらには２次転写ローラクリーニング装置６２、６３等を備えている。
【００３０】
現像ユニット３０Ｙでは、現像ローラ２０Ｙに担持された液体現像剤のトナーを圧縮状
態にする現像剤圧縮ローラ２２Ｙのクリーニングを行う現像剤圧縮ローラクリーニング装置の一例としてのクリーニングブレード２３Ｙ、現像ローラ２０Ｙのクリーニングを行う現像ローラクリーニング装置の一例としてのクリーニングブレード２１Ｙを有する。クリーニングブレード２１Ｙは、現像ローラ２０Ｙが像担持体１０Ｙと当接する現像ニップ部より現像ローラ２０Ｙの回転方向の下流側に配置されて、現像ローラ２０Ｙに残存する現像剤を掻き落とし、クリーニングブレード２３Ｙは、図中矢印方向に回転して現像剤圧縮ローラ２２Ｙの現像剤を掻き落として除去しリザーバ３１Ｙ内の現像剤に合流（併合）させて再利用される。尚、これら合流するキャリア及びトナーは混色状態にはない。また、回収した現像剤は、廃棄してもよい。
【００３１】
像担持体スクイーズ装置は、像担持体１０Ｙに対向して現像ローラ２０Ｙより回転方向下流側に配置される。像担持体スクイーズ装置は、像担持体スクイーズローラ１３Ｙと、該像担持体スクイーズローラ１３Ｙに押圧摺接して表面をクリーニングするクリーニングブレード１４Ｙと現像剤回収部１５Ｙから構成される。このような構成とすることにより、像担持体スクイーズ装置は、像担持体１０Ｙに現像された現像剤から余剰なキャリア及び本来不要なカブリトナーを回収し、顕像内のトナー粒子比率を上げる機能を有する。
【００３２】
本実施形態では、像担持体スクイーズローラ１３Ｙを像担持体１０Ｙに対して略同一周速度でウィズ回転させ、像担持体１０Ｙに現像された現像剤から重量比５〜１０％程度の余剰キャリアを回収して双方の回転駆動負荷を軽減するとともに、像担持体１０Ｙの顕像トナー像への外乱作用を抑制している。像担持体スクイーズローラ１３Ｙによって回収された余剰なキャリア及び不要なカブリトナーはクリーニングブレード１４Ｙの作用によって像担持体スクイーズローラ１３Ｙから現像剤回収部１５Ｙに回収される。尚、この回収した余剰なキャリア及びカブリトナーは専用の孤立した像担持体１０Ｙから回収しているので各色の画像形成部において混色現象は発生しない。
【００３３】
一次転写部５０Ｙでは、像担持体１０Ｙと中間転写体４０が等速度で移動して像担持体１０Ｙに現像された現像剤像を一次転写ローラ５１Ｙにより中間転写体４０へ転写することにより、回転及び移動の駆動負荷を軽減するとともに、像担持体１０Ｙの顕像トナー像への外乱作用を抑制している。なお、１色目の一次転写部５０Ｙでは初回一次転写なので混色現象は発生しないが、２色目以降は既に一次転写されたトナー像部位に更に異なるトナー像を転写して色重ねする。
【００３４】
このため、中間転写体４０から像担持体１０Ｙ（Ｍ、Ｃ、Ｋ）へトナーが移行する所謂逆転写現像によって逆転写トナーと転写残りトナーは混色して余剰キャリアとともに像担持体１０Ｙ（Ｍ、Ｃ、Ｋ）に担持されて移動し、像担持体クリーニング装置の一例としてのクリーニングブレード１６Ｙ（Ｍ、Ｃ、Ｋ）の作用によって像担持体１０Ｙ（Ｍ、Ｃ、Ｋ）から現像剤回収部１７Ｙ（Ｍ、Ｃ、Ｋ）に回収される。
【００３５】
中間転写体４０上の不要トナー画像が、二次転写ローラ６１に接して転写されシート材裏面汚れを引き起こす場合がある。これら不要トナー像に対し、中間転写体４０のクリーニングブレード４３による中間転写体４０上のクリーニング、二次転写ローラのクリーニングブレード６２による二次転写ローラ６１のクリーニングを行う。このように二次転写ローラのクリーニングブレード６２は、二次転写ローラ６１に転写された現像剤（キャリア内に分散したトナー）を除去する手段として備え、二次転写ローラ６１から現像剤を回収される。
【００３６】
図１は、本発明の実施形態にかかる定着装置８０を示す説明図である。この定着装置８０は、図６、図７に記載されている画像形成装置に用いられ、図６の定着部７０に相当する位置に設けられる。図１において、８１は転写材９７の搬送方向上流側に設けられてい
る第１定着部、８２は搬送方向下流側に設けられている第２定着部である。第１定着部８１と第２定着部８２間の距離は、転写材の搬送方向の長さなどを考慮して適宜設定される。転写材９７の表面には、トナー膜９８が形成されている。第１定着部８１には、第１加熱ローラ８３と第１加圧ローラ８４が設けられている。また、第２定着部８２には、第２加熱ローラ８５と第２加圧ローラ８６が設けられている。第１定着部８１の加熱ローラ８３で加熱された転写材９７は、前記第２定着部８２の加熱ローラ８５で再加熱される。
【００３７】
第１加熱ローラ８３は、芯金として機能する金属ローラ（以下芯金と略記する）８３ａの外表面にフッ素樹脂などの離型層８３ａを施している。芯金８３ａの内部には、ヒータランプ８７ａ（電気的熱源）が設けられている。第１加圧ローラ８４は、芯金８４ａの外周にシリコンゴムなどの弾性層８４ｂを設け、弾性層８４ｂの外表面にフッ素樹脂などの離型層８４ｃを施している。なお、第１加熱ローラ８３の芯金８３ａに施される離型層８３ｂは、フッ素樹脂をコーティングもしくはフッ素樹脂チューブを被覆して形成される。
【００３８】
第２加熱ローラ８５は、芯金８５ａの外周にシリコンゴムなどの弾性層８５ｂを設け、弾性層８５ｂの外表面にフッ素樹脂などの離型層８５ｃを施している。第２加熱ローラ８５の弾性層８５ｂに施される離型層８５ｃは、フッ素樹脂をコーティングもしくはフッ素樹脂チューブを被覆して形成される。芯金８５ａの内部には、ヒータランプ８７ｃが設けられている。第２加圧ローラ８６は、芯金８６ａの外周にシリコンゴムなどの弾性層８６ｂを設け、弾性層８６ｂの外表面にフッ素樹脂などの離型層８６ｃを施している。ここで、第１の加熱ローラ８３、第２の加熱ローラ８５に設けられるヒータランプ８７ａ、８７ｃは図示を省略したコントローラに接続されて、温度制御が行われる。第１の加圧ローラ８３、第２の加圧ローラ８５に設けられるヒータランプ８７ｂ、８７ｄは図示を省略した電源に接続される。
【００３９】
図１に示された定着装置８０に用いる加熱ローラと加圧ローラの芯金、弾性層、離型層の材質、厚さ、径について説明する。
第１定着部８１の第１加熱ローラ８３：直径φ60ｍｍ
芯金８３ａの厚さt=2ｍｍ、芯金８３ａの材質AL、材質は他に鉄、ステンレス、真鍮等
も使用可能。
離型層８３ｂの厚さt=30μm、離型層８３ｂの材質PFA、材質は他にPTFE（ポリテトラフルオロエチレン）、フッ素系樹脂のFEP、ETFE等も使用可能。
【００４０】
第１定着部８１の第１加圧ローラー８４；直径φ60ｍｍ
芯金８４ａの厚さt=2ｍｍ、材質AL、材質は他に鉄、ステンレス、真鍮等も使用可能。
弾性層８４ｂの厚さt=2ｍｍ、材質シリコンゴム、材質は他にフッ素ゴム、ウレタンゴ
ム等も使用可能。
離型層８４ｃの厚さt=30μm、材質PFA、材質は他にPTFE、FEP、ETFE等も使用可能。
【００４１】
第２定着部８２の第２加熱ローラ８５；直径φ60ｍｍ
芯金８５ａの厚さt=2ｍｍ、材質AL、材質は他に鉄、ステンレス、真鍮等も使用可能。
弾性層８５ｂの厚さt=2ｍｍ、材質シリコンゴム、材質は他にフッ素ゴム、ウレタンゴ
ム等も使用可能。
離型層８５ｃの厚さt=30μm、材質PFA、材質は他にPTFE、FEP、ETFE等も使用可能。
【００４２】
第２定着部８２の第２加圧ローラー８６；直径φ60ｍｍ
芯金８６ａの厚さt=2ｍｍ、材質AL、材質は他に鉄、ステンレス、真鍮等も使用可能。
弾性層８６ｂの厚さt=2ｍｍ、材質シリコンゴム、材質は他にフッ素ゴム、ウレタンゴ
ム等も使用可能。
離型層８６ｃの厚さt=30μm、材質PFA、材質は他にPTFE、FEP、ETFE等も使用可能。
【００４３】
図１に示したように、本発明の実施形態においては、第１定着部８１の第１加熱ローラ８３は、芯金８３ａの外表面にフッ素樹脂などの離型層８３ｂを施しており、第２加熱ローラ８５のように、芯金８５ａの外周にシリコンゴムなどの弾性層８５ｂを設けた構成ではない。このような構成とすることにより、転写材の表面にトナーの膜が良好に形成される例について図５の説明図により説明する。図５の説明図は、図９に示した従来例の説明図に対応している。
【００４４】
図５（ａ）、図５（ｂ）は、転写材の搬送方向上流側の第１定着部におけるトナーの状況を示している。加熱ローラ８３は、図１で説明したように芯金８３ａの外表面にフッ素樹脂などの離型層８３ｂを施している。図５（ａ）では、芯金８３ａの外表面にシリコンゴムなどの弾性材が設けられていないので、加熱ローラ８３の熱伝導率が高く加熱ローラ８３はハロゲンランプにより一気に加熱されて、溶融された固形部７６は凝集が十分に行われる。このため、凝集された固形部７６に押し出されてキャリア７５が転写材９７の表層に浮出る。図５（ｂ）では、固形部７６がキャリア７５と分離して層を形成している。固形部７６の谷間には、キャリア７５が溜められている。
【００４５】
図５（ｃ）は、第２定着部におけるトナーの状況を示している。図５（ｃ）では、加熱ローラ８５に弾性材が設けられているので、トナーに均一な圧力が印加され、前記キャリア溜まりに収納されているキャリアが押し出されて均一な膜が形成される。このため、図５（ｄ）では、転写材の表面凹凸にそったトナー膜が形成される状況が示されている。
【００４６】
このように、本発明の実施形態においては、図１に示すように第１定着部で、弾性層がないために熱伝達性の良い金属ローラーを用いているので、トナー固形分の凝集が速やかに行われ、トナーの固形分とキャリアの分離が生じる。トナーの固形分とキャリアの分離が生じた後、第２定着部で弾性層を設けているために硬度が低い金属ローラーを用いることで、転写材各部の面圧が均一になり転写材の表層粗さに沿った膜が形成され、トナー被覆部と転写材そのもので光沢差が小さい良好な画像が得られる。
【００４７】
図２は、他の実施形態を示す説明図である。図１と同じところには同一の符号を付しており、詳細な説明は省略する。図２の定着装置８０は、
第１定着部８１の第１加熱ローラ８３と、第２定着部８２の第２加熱ローラ８５のそれぞれの温度を検知する第１温度検知部材９３と、第２温度検知部材９６を設けている。第１温度検知部材９３、第２温度検知部材９６は、第１加熱ローラ８３、第２加熱ローラ８５とともにコントローラ９９に接続されている。コントローラ９９は、第１温度検知部材９３、第２温度検知部材９６の検知温度に基づいて、第１加熱ローラ８３、第２加熱ローラ８５の温度制御を行う。
【００４８】
第１温度検知部材９３は、第１加熱ローラ８３と接触して設けられており、第２温度検知部材９６は、第２加熱ローラ８５と非接触で設けられている。第２温度検知部材９６は、図３に示しているように、転写材（記録用紙）が加熱ローラ上の通紙幅の範囲内に設けられている。図２の実施形態では、温度検知部材９３として接触式サーミスタ、温度検知部材９６として例えばサーモパイル式温度センサを使用することが出来る。
【００４９】
図３は、図２の定着装置８０を上からみた概略の平面図である。転写材９７の両端部分を残してトナー膜９８が形成されている。９１、９４は駆動モーター、９２ａ、９２ｂ、９５ａ、９５ｂは噛み合いギアである。駆動モーター９１の駆動力は、噛み合いギア９２ａ、９２ｂを通して第１加熱ローラ８３に伝達される。また、駆動モーター９４の駆動力は、噛み合いギア９５ａ、９５ｂを通して第２加熱ローラ８５に伝達される。第１温度検知部材９３、第２温度検知部材９６は、加熱ローラーの軸方向中央部もしくは中央部近傍
付近に配設される。このため、第１加熱ローラ８３と第２加熱ローラ８５の軸方向温度を、一方端部に偏ることなく平均的に検知することができ、第１加熱ローラ８３と第２加熱ローラ８５の温度制御を精密に行える。
【００５０】
図２、図３に示された実施形態においては、弾性層を持たない第１加熱ローラー８３には接触式の温度検知部材９３を用いている。この場合には、第１加熱ローラー８３の表層への顕著なダメージは無いことから、低コストの接触式温度検知部材を用いることができるので、コスト高になることなく定着装置の長ライフ化が可能となる。また、弾性層を持つ第２加熱ローラー８５に対しては、非接触の温度検知部材９６を使うことで、第２加熱ローラー８５の表層にキズが入り画像品位を落とすことが無いという利点がある。
【００５１】
図４は、本発明のさらに他の実施形態を示す説明図である。図２と同じところには同一の符号を付しており、詳細な説明は省略する。図４においては、温度検知部材９３、９６の配設位置を図２とは異なる位置としている。温度検知部材９３は、転写材９７の搬送方向からみて、第１定着部８１のニップ部（加熱ローラ８３と加圧ローラ８４の当接部）８１ａの出口側に設けている。また、温度検知部材９６は、転写材９７の搬送方向からみて、第２定着部８２のニップ部（加熱ローラ８５と加圧ローラ８６の当接部）８２ａの出口側に設けている。
【００５２】
図４の実施形態においては、温度検知部材９３、９６の設置位置を、第１定着部８１、第２定着部８２のニップ部８１ａ、８２ａの出口側としている。このため、転写材（記録用紙）が各ニップ部８１ａ、８２ａを通過した際に、第１加熱ローラー８３、第２加熱ローラー８５表面の温度低下をただちに検知することができる。したがって、第１加熱ローラー８３、第２加熱ローラー８５のローラー表面温度の制御を高応答で行うことが出来る。
【００５３】
以上、本発明の画質の劣化を抑制した定着装置および画像形成装置をその原理と実施例に基づいて説明してきたが、本発明はこれら実施例に限定されず種々の変形が可能である。
【図面の簡単な説明】
【００５４】
【図１】本発明の実施形態を示す説明図である。
【図２】本発明の実施形態を示す説明図である。
【図３】本発明の実施形態を示す説明図である。
【図４】本発明の実施形態を示す説明図である。
【図５】本発明の実施形態を示す説明図である。
【図６】本発明の電子写真プロセスを用いた画像形成装置の１実施例の全体構成を示す模式的断面図である。
【図７】図６を部分的に拡大して示す断面図である。
【図８】転写材表面に形成されるトナー膜を示す説明図である。
【図９】従来例を示す説明図である。
【符号の説明】
【００５５】
１０Ｙ、１０Ｍ、１０Ｃ、１０Ｋ…像担持体、１１Ｙ、１１Ｍ、１１Ｃ、１１Ｋ…帯電ローラ、１２Ｙ、１２Ｍ、１２Ｃ、１２Ｋ…露光ユニット、２０Ｙ、２０Ｍ、２０Ｃ、２０Ｋ…現像ローラ（現像剤担持体）、４０…中間転写体、５０Ｙ、５０Ｍ、５０Ｃ、５０Ｋ…一次転写部、６０…二次転写部、６１…二次転写ローラ、７０…定着部、７１…加熱ローラ、７２…加圧ローラ、８０…定着装置、８１…第１定着部、８２…第１定着部、８３…第１加熱ローラ、８３ａ…金属ローラ（芯金）、８３ｂ…離型層、８４…第１加圧ローラ、８５…第２加熱ローラ、８５ａ…金属ローラ（芯金）、８５ｂ…弾性層、８５ｃ…
離型層、８６…第２加圧ローラ、８７ａ〜８７ｄ…ヒーターランプ、９３…第１温度検知部材、９６…第２温度検知部材、９９…コントローラ
【図１】
2010054751.tif 000003
【図２】
2010054751.tif 000004
【図３】
2010054751.tif 000005
【図４】
2010054751.tif 000006
【図５】
2010054751.tif 000007
【図６】
2010054751.tif 000008
【図７】
2010054751.tif 000009
【図８】
2010054751.tif 000010
【図９】
2010054751.tif 000011